(57)【要約】      （修正有）【課題】シャックルの施錠・解錠を行うことにより鍵収納部の開閉を行うことができる鍵保管庫を提供する。【解決手段】錠本体１の上端の一方側１ａに錠装置２により施錠・解錠される逆Ｕ字状のシャックル３の基端側脚部３１を配設して、また、錠本体１の上端の他方側１ｂにシャックル３の先端側脚部３２の先端を嵌脱する係合凹部４を設けて、錠本体１の上端に開口５１を臨ませた鍵収納部５を設けて、開口５１を開閉する蓋部６を蓋部６の基端側に形成した基端側脚部３１を挿通する孔部６１の下端孔縁に突設したリング状軸部を錠本体１の上端の一方側１ａに抜出ることなく軸支して、また、蓋部６の先端側にシャックル３の先端側脚部３１を挿通する孔部６３を設け、さらに、蓋部６の先端面に錠本体１の上端の他方側１ｂに立設した鉤部７に側方から係合する係止爪８を設ける。【選択図】図１
0003193888.tif 000002
【実用新案登録請求の範囲】
【請求項１】
錠本体の上端の一方側に錠装置により施錠・解錠される逆Ｕ字状のシャックルの基端側脚部を配設して、また、該錠本体の上端の他方側にシャックルの先端側脚部の先端を嵌脱する係合凹部を設けて、該錠本体の上端に開口を臨ませた鍵収納部をシャックルの基端側脚部と前記係合凹部との間に設けて、前記開口を開閉する蓋部を該蓋部の基端側に前記基端側脚部を挿通する孔部を形成したうえ該孔部の下端孔縁に突設した下拡がりのリング状軸部を前記錠本体の上端の一方側に抜出ることなく軸支して、また、前記蓋部の先端側に前記シャックルの先端側脚部を挿通する孔部を設け、さらに、該蓋部の先端面に前記錠本体の上端の他方側に立設した鉤部に側方から係合する係止爪を設けたことを特徴とする鍵保管庫。
【請求項２】
前記係止爪は蓋部の先端面に設けた切欠部内に突設して、また、前記鉤部は錠本体の上端の他方側に前記切欠部と同一形状として立設したうえ前記係止爪が係合する横向きの係合凹部を設けたものである請求項１に記載の鍵保管庫。
【請求項３】
前記錠装置がダイヤル錠である請求項１又は２に記載の鍵保管庫。
【考案の詳細な説明】
【技術分野】
【０００１】
本考案は、シャックルの施錠・解錠を行うことにより鍵収納部の開閉を行うことができる鍵保管庫に関するものである。
【背景技術】
【０００２】
前記したような鍵保管庫としては、特許文献１に記載のものが知られている。この特許文献１の鍵保管庫は鍵収納部の蓋部の開閉動作はシャックルの施錠・解錠動作に連動するロック機構により行うものである。
【０００３】
このようにロック機構により蓋部の開閉動作を行うものであるため、構造が複雑でその分製造コストを高くなるものである。
【先行技術文献】
【特許文献】
【０００４】
【特許文献１】特開２００８−１７９９８１号公報
【考案の概要】
【考案が解決しようとする課題】
【０００５】
本考案は前記のような問題を解決して、構造が簡単であるにも関わらず、鍵収納部の蓋部の開閉が容易であるとともに、強固に施蓋状態を保持できる鍵保管庫を提供することを目的として完成されたものである。
【課題を解決するための手段】
【０００６】
本考案の鍵保管庫は、錠本体の上端の一方側に錠装置により施錠・解錠される逆Ｕ字状のシャックルの基端側脚部を配設して、また、該錠本体の上端の他方部にシャックルの先端側脚部の先端を嵌脱する係合凹部を設けて、該錠本体の上端に開口を臨ませた鍵収納部をシャックルの基端側脚部と前記係合凹部との間に設けて、前記開口を開閉する蓋部を該蓋部の基端側に前記基端側脚部を挿通する孔部を形成したうえ該孔部の下端孔縁に突設した下拡がりのリング状軸部を前記錠本体の上端の一方側に抜出ることなく軸支して、また、前記蓋部の先端側に前記シャックルの先端側脚部を挿通する孔部を設け、さらに、該蓋部の先端面に前記錠本体の上端の他方側に立設した鉤部に側方から係合する係止爪を設けたことを特徴とするものである。
【０００７】
そして、前記係止爪は蓋部の先端面に設けた切欠部内に突設して、また、前記鉤部は錠本体の上端の他方側に前記切欠部と同一形状として立設したうえ前記係止爪が係合する横向きの係合凹部を設けたものが好ましいものである。
【考案の効果】
【０００８】
前記した本考案の鍵保管庫は、錠装置を操作してシャックルを解錠することにより、シャックルの先端側脚部を蓋部の先端側に設けた孔部と錠本体の上端の他方側に設けた係止凹部から離脱させて、前記蓋部をリング状軸部を支点に開方向に回動させれば鍵収納部の開口が開くので該鍵収納部へ鍵を収納する。次に、前記蓋部を閉状態に回動して閉じて、シャックルをドアノブの首部やポール等に設けたリングに巻掛けて、シャックルの先端側脚部を該蓋部の先端側に設けた孔部に挿通したうえ係止凹部に嵌合させて該シャックルの施錠を行えば、蓋部が開くことなくドアノブ等に取り付けできるので、鍵を安全に保管することができるものである。
【０００９】
そして、蓋部は、基端側に形成した前記基端側脚部を挿通する孔部の下端孔縁に突設した下拡がりのリング状軸部を錠本体の上端の一方側に抜出ることなく軸支してあり、また、該蓋部の先端面に前記錠本体の上端の他方側に立設した鉤部に側方から係合する係止爪を設けたものであるから、先端側も上方への移動が阻止されるので、構造が簡単であるにも関わらず蓋部と前記錠本体の上端との間にバール、ドライバーを差し込んで蓋部を抉じ開けられる虞はなく、強固に施蓋状態を保持できるものである。
【００１０】
また、前記係止爪は蓋部の先端面に設けた切欠部内に突設して、また、前記鉤部は錠本体の上端の他方側に前記切欠部と同一形状として立設したうえ前記係止爪が係合する横向きの係合凹部を設けたものとすると、蓋部の先端面と鉤部が隙間なく係止されるので強固な係止状態となる。また、錠装置をダイヤル錠よりなるものとすることにより、符号、番号を知っている多数人で保管した鍵を使用できるものである。
【図面の簡単な説明】
【００１１】
【図１】本考案の実施形態を示す斜視図。
【図２】本考案の実施形態を態様を異にして示す斜視図。
【図３】本考案の実施形態を示す一部切欠正面図。
【考案を実施するための形態】
【００１２】
次に、本考案の好ましい実施の形態を図面に基づき説明する。
１は錠本体であり、該錠本体１の上端の一方側１ａに錠装置２により施錠・解錠される逆Ｕ字状のシャックル３の基端側脚部３１を配設して、また、上端の他方側１ｂにシャックル３の先端側脚部３２の先端３２ａを嵌脱する係合凹部４を設けている。
【００１３】
なお、錠装置２は前記シャックル３の基端側脚部３１の下方に図示を略したキー軸にダイヤルリング２１の解錠位置と施錠位置を合わせることによりシャックル３を解錠・施錠させるダイヤル錠としたものである。錠装置２をダイヤル錠とすることにより、関係者に符号・番号を知らせることより鍵の出し入れができるもので便宜であるが、鍵錠としてもよいものである。
【００１４】
５は鍵収納部であり、該鍵収納部５は前記錠本体１の上端に開口５１を臨ませて前記シャックル３の基端側脚部３１と前記係合凹部との間に設けてある。前記開口５１を開閉する蓋部６は、図３に示すように基端側に前記基端側脚部３１を挿通する孔部６１を形成したうえ該孔部６１の下端孔縁に突設した下拡がりのリング状軸部６２を前記錠本体１の上端の一方側に抜出ることなく軸支している。
【００１５】
また、前記蓋部６は先端側に前記シャックル３の先端側脚部３２を挿通する孔部６３を設け、さらに、該蓋部６の先端面に前記錠本体１の上端の他方側１ｂに立設した鉤部７に側方から係合する係止爪８を設けたものである。
【００１６】
前記係止爪８は蓋部６の先端面に設けた切欠部６４内に突設して、また、前記鉤部７は錠本体１の他方側部上端に前記切欠部６４と同一形状として立設したうえ前記係止爪８が係合する横向きの係合凹部７１を設けたものとしている。
【００１７】
このように構成されたものは、錠装置２によるシャックル３の施錠の解除、すなわち基端側脚部３１の下方に設けたキー軸にダイヤルリング２１を解錠位置に合わせてダイヤル錠２により錠本体１からシャックル３を解錠状態とする。そうして、シャックル３の基端側脚部３１を上動させれば、シャックル３の先端側脚部３２を蓋部６の先端側に設けた孔部６３と錠本体１の他方の側部に設けた係止凹部４から離脱させて、前記蓋部６をリング状軸部６２を支点に開方向に回動させれば鍵収納部５の開口５１が開くので該鍵収納部５へ鍵を収納する。
【００１８】
次に、前記蓋部６を閉状態に回動して閉じて、シャックル３をドアノブの首部やポール等に設けたリングに巻掛けて、シャックル３の先端側脚部３２を該蓋部６の先端側に設けた孔部６３に挿通したうえ係止凹部４に嵌合させて該シャックル３の施錠を行えば、蓋部６が開くことなくドアノブ等に取り付けできるので、鍵を安全に保管することができるものである。
【００１９】
そして、蓋部６は基端側に形成した前記基端側脚部３１を挿通する孔部６１の下端孔縁に突設した下拡がりのリング状軸部６２を錠本体１の上端の一方側１ａに抜出ることなく軸支してあり、また、該蓋部６の先端面に前記錠本体１の上端の他方側１ｂに立設した鉤部７に側方から係合する係止爪８を設けたものであるから、先端側も上方への移動が阻止されるので、蓋部６と前記錠本体１の上端との間にバール、ドライバーを差し込んで抉じ開けられる虞はなく、強固に施蓋状態を保持できるものである。
【符号の説明】
【００２０】
１  錠本体
２  錠装置
３  シャックル
31  基端側脚部
32  先端側脚部
４  係合凹部
５  鍵収納部
51  開口
６  蓋部
７  鉤部
８  係止爪
【図１】
0003193888.tif 000003
【図２】
0003193888.tif 000004
【図３】
0003193888.tif 000005